(57)【要約】  回転する要素を有する機械の振動を監視するシステム及び方法であって、合成振動信号が測定され、機械動作周波数と関連する、表に出ないベクトル成分へ濾波される。濾波後のベクトルは平均及び標準偏差を得るべく評価され、この後にさらなる値が取得されて前の値と比較される。作動条件が、条件の成立に基づいて特定のアクションを開始するために設定される。機械の動作状況に関する追加データが振動データと関連して分析され、観測される振動偏差の原因をつきとめるために考察される。例えば、表に出ないベクトル成分の第１レベルフォルダに対する第２レベルフォルダ内の、機械動作状況は、表に出ないベクトル成分と関連させてコンピュータディスプレイに表示される。【選択図】  図１
2013526724.tif 000002
【特許請求の範囲】
【請求項１】
回転する要素を有する機械において振動を監視するシステムであって、
前記機械における合成振動を測定して該測定した合成振動に応じる合成デジタル振動信号を出力するように構成された振動測定デバイスと、
前記機械の動作状況を測定する動作状況センサと、
前記合成デジタル振動信号を受信して第１振動ベクトル信号及び第２振動ベクトル信号へ濾波するように構成され、また、前記測定された動作状況を受信するように構成されたプロセッサと、
前記第１振動信号、前記第２振動信号、及び前記動作状況を記憶する記憶ユニットと、
前記動作状況と関連させて前記第１振動信号を表示するディスプレイデバイスと、
を備える、システム。
【請求項２】
前記ディスプレイデバイスは、前記動作状況に関連させて前記第２振動信号を表示する、請求項１に記載のシステム。
【請求項３】
前記振動測定デバイスによって、Ｎに等しい複数の合成振動測定結果が経時的に測定され、このＮ個の測定結果が、Ｎ個の前記合成デジタル振動信号として出力され、
前記プロセッサは、前記Ｎ個の測定結果を受信してＮ個の前記第１振動ベクトル信号及びＮ個の前記第２振動ベクトル信号へ濾波し、該Ｎ個の第１振動ベクトル信号の平均値及び標準偏差を求める、
請求項１に記載のシステム。
【請求項４】
前記プロセッサは、後に測定されるＮ＋１番目の前記合成振動測定結果を受信してＮ＋１番目の前記第１振動ベクトル信号及びＮ＋１番目の前記第２振動ベクトル信号へ濾波する、請求項３に記載のシステム。
【請求項５】
前記Ｎ＋１番目の第１振動ベクトルが前記Ｎ個の第１振動ベクトル信号の平均値及び標準偏差に関連した第１しきい値を越える場合、前記プロセッサは、第１アクションを活性化させる、請求項４に記載のシステム。
【請求項６】
前記第１アクションが可聴アラームである、請求項５に記載のシステム。
【請求項７】
前記Ｎ＋１番目の第１振動ベクトルが前記Ｎ個の第１振動ベクトル信号の平均値及び標準偏差に関連した第２しきい値を超える場合、前記プロセッサは、第２アクションを活性化させ、
該第２しきい値は、前記第１しきい値よりも大きな、前記平均値からの偏差を表す、
請求項５に記載のシステム。
【請求項８】
前記第２アクションが機械動作変更又は機械停止手続である、請求項７に記載のシステム。
【請求項９】
前記第１しきい値は、前記動作状況に関連させてある、請求項５に記載のシステム。
【請求項１０】
前記動作状況が、速度入力、メガワット入力、界磁電流入力、又はクラッチポジション入力である、請求項９に記載のシステム。
【請求項１１】
前記第１振動ベクトル信号及び前記第２振動ベクトル信号は、それぞれ、１×及び２×信号である、請求項１に記載のシステム。
【請求項１２】
前記Ｎ個の測定結果が等時間間隔で測定される、請求項３に記載のシステム。
【請求項１３】
回転する要素を有する機械において振動を監視する方法であって、
前記機械において経時的にＮ個の合成振動を測定し、
該測定したＮ個の合成振動に対応するＮ個の合成デジタル振動信号をプロセッサへ出力し、
前記測定したＮ個の合成振動に対応する前記Ｎ個の合成デジタル振動信号を受信し、
前記Ｎ個の合成デジタル振動信号のそれぞれを濾波してＮ個の第１振動ベクトル信号及びＮ個の第２振動ベクトル信号とし、
該Ｎ個の第１振動ベクトル信号の平均値及び標準偏差を求め、
前記機械の動作状況を測定し、
前記Ｎ個の第１振動ベクトル信号の少なくとも１つを少なくとも１つの前記動作状況と関連させて表示する、
ことを含む方法。
【請求項１４】
前記機械におけるＮ＋１番目の合成振動を測定し、
該測定したＮ＋１番目の合成振動に対応するＮ＋１番目の合成デジタル振動信号をプロセッサへ出力し、
前記測定したＮ＋１番目の合成振動に対応する前記Ｎ＋１番目の合成デジタル振動信号を受信し、
前記Ｎ＋１番目の合成デジタル振動信号をＮ＋１番目の第１振動ベクトル信号及びＮ＋１番目の第２振動ベクトル信号へ濾波し、
該Ｎ＋１番目の第１振動ベクトル信号を前記Ｎ個の第１振動ベクトル信号の平均値及び標準偏差に関連した第１しきい値と比較する、
ことを含む、請求項１３に記載の方法。
【請求項１５】
前記Ｎ＋１番目の第１振動ベクトル信号を第１しきい値と比較するステップが前記第１しきい値を超える場合、第１アクションを開始する、請求項１４に記載の方法。
【請求項１６】
前記Ｎ＋１番目の第１振動ベクトル信号を前記Ｎ個の第１振動ベクトル信号の平均値及び標準偏差に関連した第２しきい値と比較する、ことをさらに含む、請求項１５に記載の方法。
【請求項１７】
前記Ｎ＋１番目の第１振動ベクトル信号を第２しきい値と比較するステップが前記第２しきい値を超える場合、第２アクションを開始する、請求項１６に記載の方法。
【請求項１８】
前記第１アクションが可聴アラームで、前記第２アクションが機械動作変更又は機械停止である、請求項１７に記載の方法。
【請求項１９】
前記Ｎ個の第１振動ベクトル信号及び前記Ｎ個の第２振動ベクトル信号は、それぞれ、１×及び２×振動信号である、請求項１３に記載の方法。
【請求項２０】
前記Ｎ個の第１振動ベクトル信号の少なくとも１つを少なくとも１つの動作状況と関連させて表示するステップは、コンピュータの第１レベルフォルダ内の前記Ｎ個の第１振動ベクトル信号及びコンピュータの第２レベルフォルダ内の前記少なくとも１つの動作状況を表示する、請求項１３に記載の方法。
【発明の詳細な説明】
【技術分野】
【０００１】
この出願は、２０１０年５月２５日出願の米国仮特許出願６１／３４７，９９０の優先権を主張する。その開示内容はここに組み込まれる。
【０００２】
本発明は、回転する要素を備えた機械からの振動信号の監視に関する。
【背景技術】
【０００３】
機械内の回転する要素が、動作周波数に関連して異なるベクトルの振動を当該機械に発生させることがあり、さらには大半の振動モニタが、全ベクトルに関する合成としてデータを収集する、ことが周知である。このように、例えば、１×動作周波数、２×動作周波数、及び３×動作周波数の振動ベクトルの合成の結果生じるにもかかわらず、単一合成振動ベクトルが測定される。従来では、この合成周波数ベクトルが、手作業等により、綿密に時間をかけた分析方法で分析されている。この技術は便利であるけれども、例えば１×、２×、及び３×のベクトルを分けるような、より精巧な方法で振動信号の本当の作用を分析し予測する機械ユーザーの能力を制限し、したがって機械振動分析に対する限られたアプローチの典型である。
【発明の概要】
【発明が解決しようとする課題】
【０００４】
ユーザが迅速且つ能率的に、個々のベクトルに濾波された振動データを分析できるようにすることが、有益と考えられる。そして、その濾波データを、機械の各種動作状況とリアルタイムに又はこれに近い状態で比較することも、有益と考えられる。それにより、今までは想定外の速度及び精度に関し、予定の基準からの偏差を特定し明確にし得る。
【課題を解決するための手段】
【０００５】
これらの目的を達成するため、本発明は、一つの態様において、回転する要素を有する機械において振動を監視するシステムに関し提案する。この態様において、システムは、機械における合成振動を測定して該測定した合成振動に応じる合成デジタル振動信号を出力するように構成された振動測定デバイスと、機械の動作状況を測定する動作状況センサと、合成デジタル振動信号を受信して第１振動ベクトル信号及び第２振動ベクトル信号へ濾波すると共に測定された動作状況を受信するように構成されたプロセッサと、第１振動信号、第２振動信号、及び動作状況を記憶する記憶ユニットと、動作状況に関連させて第１振動信号を表示するディスプレイデバイスと、を備える。
【０００６】
ディスプレイデバイスは、動作状況に関連させて第２振動信号を表示してもよい。
【０００７】
振動測定デバイスによって、Ｎに等しい複数の合成振動測定結果が経時的に測定され、このＮ個の測定結果が、Ｎ個の合成デジタル振動信号として出力され得る。その結果、プロセッサは、Ｎ個の測定結果を受信してＮ個の第１振動ベクトル信号及びＮ個の第２振動ベクトル信号へ濾波し、Ｎ個の第１振動ベクトル信号の平均値及び標準偏差を求め得る。当該システムにおいて、プロセッサは、その後に測定されるＮ＋１番目の合成振動測定結果を受信してＮ＋１番目の第１振動ベクトル信号及びＮ＋１番目の第２振動ベクトル信号へ濾波し得る。Ｎ＋１番目の第１振動ベクトルがＮ個の第１振動ベクトル信号の平均値及び標準偏差に関連した第１しきい値を越える場合、プロセッサは、第１アクションを活性化させ得る。この第１アクションは、可聴アラームとすることができる。Ｎ＋１番目の第１振動ベクトルがＮ個の第１振動ベクトル信号の平均値及び標準偏差に関連した第２しきい値を超える場合、プロセッサは、第２アクションを活性化させ得る。第２しきい値は、第１しきい値よりも大きな、平均値からの偏差を表す。第２アクションは、機械の動作変更又は機械の停止手続とすることができる。Ｎ個の測定結果は、等時間間隔で測定され得る。
【０００８】
第１しきい値は、動作状況に関連させてあってもよく、その動作状況とは、速度入力、メガワット入力、界磁電流入力、又はクラッチポジション入力とすることができる。
【０００９】
第１振動ベクトル信号及び第２振動ベクトル信号は、それぞれ、１×及び２×信号とすることができる。
【００１０】
本発明の別の態様において、回転する要素を有する機械において振動を監視する方法が提案される。当該方法は、当機械において経時的にＮ個の合成振動を測定し、測定したＮ個の合成振動に対応するＮ個の合成デジタル振動信号をプロセッサへ出力し、測定したＮ個の合成振動に対応するＮ個の合成デジタル振動信号を受信し、Ｎ個の合成デジタル振動信号のそれぞれを濾波してＮ個の第１振動ベクトル信号及びＮ個の第２振動ベクトル信号とし、Ｎ個の第１振動ベクトル信号の平均値及び標準偏差を求め、機械の動作状況を測定し、Ｎ個の第１振動ベクトル信号の少なくとも１つを少なくとも１つの動作状況と関連させて表示する、ことを含む。
【００１１】
Ｎ個の第１振動ベクトル信号及びＮ個の第２振動ベクトル信号は、それぞれ、１×及び２×の振動信号であり得る。
【００１２】
Ｎ個の第１振動ベクトル信号の少なくとも１つを少なくとも１つの動作状況と関連させて表示するステップでは、コンピュータの第１レベルフォルダ内のＮ個の第１振動ベクトル信号及びコンピュータの第２レベルフォルダ内の少なくとも１つの動作状況を表示することができる。
【００１３】
当該方法は、さらに、当機械におけるＮ＋１番目の合成振動を測定し、測定したＮ＋１番目の合成振動に対応するＮ＋１番目の合成デジタル振動信号をプロセッサへ出力し、測定したＮ＋１番目の合成振動に対応するＮ＋１番目の合成デジタル振動信号を受信し、Ｎ＋１番目の合成デジタル振動信号をＮ＋１番目の第１振動ベクトル信号及びＮ＋１番目の第２振動ベクトル信号へ濾波し、Ｎ＋１番目の第１振動ベクトル信号をＮ個の第１振動ベクトル信号の平均値及び標準偏差に関連した第１しきい値と比較する、ことを含むようにできる。Ｎ＋１番目の第１振動ベクトル信号を第１しきい値と比較するステップで第１しきい値を超える場合、第１アクションを開始することができる。当該方法は、さらに、Ｎ＋１番目の第１振動ベクトル信号をＮ個の第１振動ベクトル信号の平均値及び標準偏差に関連した第２しきい値と比較することを含み得る。Ｎ＋１番目の第１振動ベクトル信号を第２しきい値と比較するステップで第２しきい値を超える場合、第２アクションが開始される。第１アクションは可聴アラームで、第２アクションは、機械の動作変更又は機械の停止とすることができる。
【図面の簡単な説明】
【００１４】
上記記載事項と、本発明のその他の目的、特徴及び利点については、次の図面を併用した以下の、振動監視システム及び方法の詳細な説明によってより深く理解される。
【図１】振動監視システムの概略図。
【発明を実施するための形態】
【００１５】
図示され及び図面と共に説明される発明の好適な実施形態を説明するにあたり、特定の用語を明確性のために利用する。しかし、本発明において、その選択された特定の用語に制限されることは意図されておらず、各用語は、同様の方法で動作し同様の目的を達成する技術的に同等のものをすべて含むと解釈されるべきである。
【００１６】
本発明に係る振動監視システム及び方法の実施形態を説明する。概して、本発明は、回転する複数の要素又は回転する単一の要素をもつ機械から、加速度計や近接計（proximiter）により測定される横方向の振動信号、又は、磁気ピックアップや光学センサにより測定されるねじり振動信号を取得すべく設計される。これら振動信号はベクトル、例えば１×、２×、及び３×動作速度のベクトル、の組み合わせを表す。そして当該信号は、個々の振動ベクトル、例えば１×、２×、及び３×動作速度に関する個々のベクトル、を取得するべく濾波される。この濾波プロセスは、フーリエ変換分析など既知の方法に従いプログラムされたコンピュータにより実行される。そして、このコンピュータプロセッサは、個々の振動ベクトルの平均値及び標準偏差値を求めるが、その背景として、履歴上の機械振動ベクトルの傾向と、場合によっては機械の特定の動作状況、に基づいて、警告及びトリップ（作動）のリミット（第１アクション及び第２アクション項目）が設定される。
【００１７】
これら警告とトリップのリミットは、好ましくは、機械に起こりそうな問題をオペレーターに警告することで、又は、場合によっては機械を自動的に停止させることで、最悪な機械の故障を防ぐべく設計される。警告リミット及びトリップリミットは、固定値とはされず、履歴上の傾向に基づいて算出又は決定され、追加の振動数値が経時的に得られると自動的に更新される。
【００１８】
したがって、本発明は、回転する要素をもつ機械の状況に応じた保護を提供し、ロータークラック、部品の緩み、部品損壊などから生じ得る構造的故障を防ぐ。
【００１９】
当該機械の構造的変更や故障は振動ベクトルを変化させることが知られている。振動ベクトルが変化した場合、振動の振幅は増加するか、変わらないままか、あるいは減少する。従来の振動監視は、濾波していない信号の振幅を使用して、増加する振幅の状況に対してのみ、アラーム又はトリップ条件を設定しており、且つ、そのアラーム又はトリップ条件に関し所定の固定値を使用するのみである。この理由から、従来の方法は、振動振幅の増加に関してのみ明らかにすることができ、変化の無い振幅あるいは減少する振幅でさえダメージ又は故障が生じるというシチュエーションを見逃している。さらに、以前の方法は、唯一の振動数値でアラーム又はトリップ条件を設定するのみであり、複数の数値に従う傾向における変化を評価することができない。
【００２０】
図１に示すのは、回転する要素をもつ機械（Ｍ）の振動特性を監視するシステム１００の概略である。図示のように、機械（Ｍ）には、加速度計や近接計（proximiter）といった従来型の横方向振動測定デバイス１０２が設けられる（本開示事項の残りの箇所で通例として便宜的に横方向振動信号に触れることが認識されるが、横方向（lateral）、ねじり（torsional）、又はその他の振動が本発明の範囲に含まれることを理解すべきである）。このデバイスは、機械（Ｍ）の一部とするか又は本発明システムの一部として追加することができる。横方向振動測定デバイス１０２は、所定の時間間隔で合成振動を測定する。これにより、合計Ｎ個の数値が経時的に取得される。単なる例として、数値は２４時間中１時間毎に取得され、Ｎ＝２４の表に出ない（discreet）合成振動の数値を生成する。他の例では、合計でＮ＝３６５の表に出ない合成振動の数値のために、１年を通じて１日毎に１つ数値が取得される。
【００２１】
アナログ−デジタルコンバータ１０４が横方向振動測定デバイス１０２と連動して、数値をアナログ信号からデジタル信号へ変換する。このユニットも、機械（Ｍ）の一部か又は本発明システムの一部とすることができる。次いでこれら信号は、直接配線や無線技術を含むあらゆる方法で、合成デジタル振動信号１０６としてコンバータ１０４からコンピュータプロセッサ１０８へ送信される。当信号は、ローカルに又は同時にインターネットを通じて送信され得る。
【００２２】
コンピュータプロセッサ１０８は、信号１０６を受け取ってフーリエ変換を適用し、合成デジタル振動信号１０６を、機械（Ｍ）の動作周波数に関連する振幅及び位相の分割振動ベクトルへ変換する。これら分割振動ベクトルは、１×、２×、又は３×動作周波数に関連し、ただし、１．５×など中間の増加率に関連付けられていてもよい。そして、プロセッサ１０８は、各分割ベクトルに関して平均値及び標準偏差を求める。説明し易いように、仮定の１×ベクトルを考察する。
【００２３】
この１×ベクトルに関し、プロセッサ１０８は、Ｎ個の数値に関する振幅を決定している。Ｎは、得られた数値の数に等しい。これらＮ個の数値に関し、プロセッサは、次に平均値及び標準偏差を計算する。
【００２４】
数値番号Ｎ＋１である次の数値が、横方向振動測定デバイス１０２及び続くアナログ−デジタルコンバータ１０４によりプロセッサへ送信される。プロセッサがこの信号を受信して個々の１×ベクトルへ濾波すると、その数値（reading）が前の数値（readings）と比較される。該値が、標準偏差に基づく第１プリセット値を越えていれば、第１アクションがプロセッサ１０８により実行される。第１アクションの例は、可聴アラームや可視表示であり、可視表示は、プロセッサ１０８と連動するディスプレイデバイス１１０に表示される。同様に、前記値が、標準偏差に基づく第２プリセット値を越えていれば、第２アクションがプロセッサ１０８により実行される。第２アクションの例は、機械の全停止に至る機械動作変更を含む。プリセット値は、数値の傾向分析を行ってオペレーターにより経時的に調節される。
【００２５】
現状の振動監視システムは一般的に作動（トリップ）させられるのみと認識され、１つのプリセット振動リミットが測定されたときにプロセッサが１つのアクションを起こす。このリミットは一般に工業基準及び機械設計ガイドラインに関連付けられており、最悪の機械故障に達するリミットと関連させられることがほとんどである。本発明システムでは、オペレーターが例えば上限値へ近づくといった傾向を観測することができる。傾向が経時的に一定であれば、オペレーターは、そのような傾向の理由を評価することができ、プロセッサにより実行され得るアクションから独立したいかなるアクションも行う必要がない。逆に、オペレーターがさらなるアクションを行うこともできる。この分析のレベルは、従来では可能でなかった。
【００２６】
さらに、傾向が考慮されていても、従来技術のシステムが作動（トリップ）するレベルに達する前に、傾向から外れる数値の急な変化があり得る。この場合、現システム下で利用可能な増加データが提供されれば、オペレーターは、プロセッサ１０８が機械（Ｍ）に歯止めをかける必要があるレベルに振動が到達する前であっても、機械（Ｍ）を評価してアクションが必要か否か決定することができる。
【００２７】
経時的に傾向を評価するために、及び、オペレーターが過去の振動値を検討することができるように、プロセッサ１０８は、ハードドライブやその他のメモリデバイスといった、プロセッサにより得られた振動値を記憶する記憶ユニット１１２と連動する。
【００２８】
プロセッサ１０８により評価される振動信号に加えて、本システムは、１以上の動作状況センサ（ＯＣ）を含み得る。当該センサは、数ある中でも特に、温度状況、機械部品の速度、機械により供給される又は使用されるメガワット数、発電機の界磁電流、機械の各種部品のクラッチポジションなどの、機械（Ｍ）の内部及び周囲の状況を検知してプロセッサ１０８に報告する。このデータ１１４も記憶ユニット１１２に記憶され、Ｎ振動数値のそれぞれと共に、又は、オペレーターの指示に従って、ディスプレイデバイス１１０に表示される。これにより、振動傾向を他の動作状況と容易に比較することができ、振動傾向の変化の要因決定を支援する。
【００２９】
例えば、周囲温度が上昇して特定の温度数値を越えるときに、対象機械（Ｍ）の１×の振動がある標準偏差を少し越える程度に増加することを、経時的に注視することができる。このような場合、特定の機能での１×振動における該当標準偏差増加の発生に応じて、オペレーターは、すぐに温度データを入手して、温度上昇が振動増加の原因か否か決定することができる。もし、原因でなければ、オペレーターは、他の状況パラメータ情報に目を通し、別のあり得る相関を特定したり、機械（Ｍ）に逼迫した故障状況があるか否か特定したりすることができる。
【００３０】
プロセッサ１０８及びディスプレイデバイス１１０に関係するソフトウエアが提供され、ディスプレイデバイスで、視覚的に、異なる入力に関連付けられた異なる「フォルダ」及び動作状況を容易に評価できるように表示する。例えば、機械の最高動作速度における振動数値のフォルダが作成される。これに関連して、一例として温度を用いると、第１温度用の「サブフォルダ」及び第２温度用の「サブフォルダ」が作成される。
【００３１】
機械が動作して振動信号が収集されると、データは、後の評価のために、フォルダに入れられる。一例として温度を再度用いると、最高動作速度用に作成されたフォルダが存在する。その「フォルダ」の下に、７０°Ｆ動作用の「サブフォルダ」及び８０°Ｆ動作用の第２の「サブフォルダ」が存在する。機械（Ｍ）が最高速度で運転され、温度が７０°Ｆの場合、データは、「最高速」フォルダの下の７０°Ｆ「サブフォルダ」に入れられる。他方、温度が８０°Ｆへ上昇した場合、データは、「最高速」フォルダの下の８０°Ｆ「サブフォルダ」に入れられる。オペレーターは、その後、特定の動作状況に関連したデータを必要に応じて容易に閲覧し得る。もちろん、メイン「フォルダ」の下に、その他の動作状況用に追加の「サブフォルダ」を作成することができる。同様に、第３レベルの「サブフォルダ」を他の動作状況用に作成することも、そのようにプログラムされていれば可能である。例えば、第３レベルの「サブフォルダ」は、最高速動作（レベル１）、７０°Ｆ（レベル２）、所定の部品の特定のクラッチポジション（レベル３）用に作成される。当然ながら、この他の例も可能である。
【００３２】
振動データを収集し評価するために多くの方法があり得るが、一例として次の方法が使用される。この方法では、機械におけるＮ個の合成横方向振動レベルが経時的に測定される。上記同様、期間は様々であるが、典型的な例では、１時間に１回又は１日に１回である。測定回数Ｎを増やせば、結果分析精度も向上することが理解される。
【００３３】
測定されたＮ個の合成横方向振動レベルは、デジタル信号として出力され（又はそれ以外で出力して変換され）、プロセッサで受信される。プロセッサは、Ｎ個の合成信号をそれぞれ濾波して少なくともＮ個の第１振動ベクトル信号及びＮ個の第２振動ベクトル信号とする。濾波は、フーリエ変換分析を使用して達成され得る。当然、精度向上のために、より多くの振動ベクトル信号を濾波することもできる。例えば、濾波されるベクトルは、１×及び２×の動作速度ベクトルである。
【００３４】
濾波が完了すると、Ｎ個の濾波後ベクトルの平均及び標準偏差が分析される。これは、Ｎ個の濾波後ベクトルの全セット又はその個々のセットを含む。そして、その基準が確立されれば、実行された測定回数Ｎに基づき動く基準ではあるが、Ｎ＋１番目の測定が行われて濾波され、平均及び標準偏差と比較される。第１しきい値の、あるいは、平均及び標準偏差に基づく所定値から外れた値の超過で、プロセッサは、第１のアクションを実行する。当該アクションは、数あるアクションの中でも特に、可聴アラーム又は可視アラームを含む。同様に、第２しきい値の超過で、第２アクションが開始される。このアクションは、通常、標準偏差からの大きな逸脱を明示し、したがって、通常、機械の動作変更や停止などのより最終的なアクションを含む。
【００３５】
これら全体を通して、Ｎ個の振動値は記憶ユニットに記憶され、ディスプレイデバイスで検討される。振動値は、上述したように、Ｎ個の数値のそれぞれと同時に取得される、機械の他の動作状況と比較されもする。
【００３６】
特定の実施形態を通して本発明を説明したが、上記実施形態は本発明の原理及び応用例を例示するだけであることが、理解されるべきである。したがって、数多くの変更が例示した実施形態に対して行われ得るし、他の変形例が、特許請求の範囲で定義される本発明の要旨及び範囲を逸脱することなく発案され得る、と理解されるべきである。
【符号の説明】
【００３７】
１００  振動監視システム
１０２  振動測定デバイス
１０４  アナログ−デジタルコンバータ
１０８  プロセッサ
１１０  ディスプレイデバイス
１１２  記憶ユニット
Ｍ  機械
ＯＣ  動作状況センサ
【図１】
2013526724.tif 000003
【国際調査報告】
2013526724.tif 000004
2013526724.tif 000005
2013526724.tif 000006